(57)【要約】【課題】印刷システムに新規の印刷装置が追加される際に生じるユーザーの操作の手間を軽減可能な印刷制御装置、印刷システム、及び印刷制御方法を提供すること。【解決手段】印刷制御装置は、印刷装置各々が前記印刷装置各々に予め設定されたジョブ実行の優先順位の順に列挙された装置リストを含み、前記印刷装置各々の前記優先順位の設定に用いられる設定画面を表示させる表示処理部と、前記装置リストに含まれる前記印刷装置のうち、前記優先順位に基づいて選択される前記印刷装置に印刷ジョブを実行させる実行制御部と、を備え、第１検出条件を充足した場合に前記優先順位が設定されていない新規装置を検出する第１検出処理を実行し（ステップＳ４２）、検出された前記新規装置の前記優先順位を予め定められた特定順位に設定する（ステップＳ４４）。【選択図】図５
2018072976.tif 000002
【特許請求の範囲】
【請求項１】
通信可能に接続された印刷装置各々が前記印刷装置各々に予め設定されたジョブ実行の優先順位の順に列挙された装置リストを含み、前記印刷装置各々の前記優先順位の設定に用いられる設定画面を表示させる表示処理部と、
前記装置リストに含まれる前記印刷装置のうち、前記優先順位に基づいて選択される前記印刷装置に印刷ジョブを実行させる実行制御部と、
前記印刷装置のうち前記優先順位が設定されていない新規装置を検出する検出処理部と、
前記検出処理部によって前記新規装置が検出された場合に、検出された前記新規装置の前記優先順位を予め定められた特定順位に設定する設定処理部と、
を備える印刷制御装置。
【請求項２】
前記特定順位は、前記印刷装置における最下位の順位である、
請求項１に記載の印刷制御装置。
【請求項３】
ユーザー操作に応じて前記装置リストに含まれる前記印刷装置各々の前記印刷ジョブの実行資格の有無を設定する資格設定部を備え、
前記設定処理部は、前記新規装置の前記実行資格を無に設定し、
前記実行制御部は、前記装置リストに含まれる前記実行資格が有の前記印刷装置のうち、前記優先順位に基づいて選択される前記印刷装置に前記印刷ジョブを実行させる、
請求項１又は２に記載の印刷制御装置。
【請求項４】
前記設定処理部によって前記新規装置の前記優先順位が設定された場合にその旨を示す情報を報知する報知処理部を備える、
請求項１〜３のいずれかに記載の印刷制御装置。
【請求項５】
前記装置リストに含まれる前記印刷装置のうち、前記印刷ジョブの実行に用いられる予め定められた消耗品の残量が予め定められた閾値未満の特定装置を検出する装置検出部と、
前記装置検出部によって検出された前記特定装置の前記優先順位を予め定められた基準順位より下位に変更する第１順位変更部と、
を備える請求項１〜４のいずれかに記載の印刷制御装置。
【請求項６】
自装置の所在位置の変更を検出する変更検出部と、
前記変更検出部によって自装置の所在位置の変更が検出された場合に、前記装置リストに含まれる前記印刷装置各々の所在位置を取得する取得処理部と、
前記取得処理部によって取得される前記印刷装置各々の所在位置及び自装置の所在位置に基づいて、前記装置リストに含まれる前記印刷装置各々の前記優先順位を変更する第２順位変更部と、
を備える請求項１〜５のいずれかに記載の印刷制御装置。
【請求項７】
請求項１〜６のいずれかに記載の印刷制御装置と、
前記印刷装置と、
を含む印刷システム。
【請求項８】
通信可能に接続された印刷装置各々が前記印刷装置各々に予め設定されたジョブ実行の優先順位の順に列挙された装置リストを含み、前記印刷装置各々の前記優先順位の設定に用いられる設定画面を表示させる表示ステップと、
前記装置リストに含まれる前記印刷装置のうち、前記優先順位に基づいて選択される前記印刷装置に印刷ジョブを実行させる実行ステップと、
前記印刷装置のうち前記優先順位が設定されていない新規装置を検出する検出ステップと、
前記検出ステップによって前記新規装置が検出された場合に、検出された前記新規装置の前記優先順位を予め定められた特定順位に設定する設定ステップと、
を含む印刷制御方法。
【発明の詳細な説明】
【技術分野】
【０００１】
本発明は、印刷装置に印刷ジョブを実行させる印刷制御装置、印刷装置及び印刷制御装置を含む印刷システム、並びに印刷制御装置で実行される印刷制御方法に関する。
【背景技術】
【０００２】
プリンターなどの印刷装置を複数備える印刷システムが知られている。この種の印刷システムでは、パーソナルコンピューターなどの印刷制御装置から送信される印刷ジョブが、複数の印刷装置のうちユーザー操作によって選択された印刷装置で実行される。また、選択された印刷装置における印刷ジョブの実行が中断された場合に、中断された印刷ジョブの実行が予め設定されたジョブ実行の優先順位に基づいて選択される他の印刷装置で再開される（特許文献１参照）。
【先行技術文献】
【特許文献】
【０００３】
【特許文献１】特開２００９−２５５３５６号公報
【発明の概要】
【発明が解決しようとする課題】
【０００４】
ところで、印刷装置各々が前記優先順位の順に列挙された装置リストを含む設定画面を表示させて、その設定画面上でユーザーによる印刷装置各々の前記優先順位の設定操作を受け付ける構成が考えられる。この構成によれば、ユーザーは装置リストによって設定変更の対象となる印刷装置と他の印刷装置との間の前記優先順位の優劣関係を一目で把握できるため、前記優先順位の設定操作が容易になる。
【０００５】
一方、印刷システムでは新規の印刷装置が追加されることがある。ここで、上述の構成において、前記設定画面上で新規の印刷装置の前記優先順位の設定操作を行うために、その新規の印刷装置の暫定的な前記優先順位の設定などの操作が必要である場合には、印刷システムに新規の印刷装置が追加される度にユーザーに操作の手間が生じる。
【０００６】
本発明の目的は、印刷システムに新規の印刷装置が追加される際に生じるユーザーの操作の手間を軽減可能な印刷制御装置、印刷システム、及び印刷制御方法を提供することにある。
【課題を解決するための手段】
【０００７】
本発明の一の局面に係る印刷制御装置は、表示処理部と、実行制御部と、検出処理部と、設定処理部と、を備える。前記表示処理部は、通信可能に接続された印刷装置各々が前記印刷装置各々に予め設定されたジョブ実行の優先順位の順に列挙された装置リストを含み、前記印刷装置各々の前記優先順位の設定に用いられる設定画面を表示させる。前記実行制御部は、前記装置リストに含まれる前記印刷装置のうち、前記優先順位に基づいて選択される前記印刷装置に印刷ジョブを実行させる。前記検出処理部は、前記印刷装置のうち前記優先順位が設定されていない新規装置を検出する。前記設定処理部は、前記検出処理部によって前記新規装置が検出された場合に、検出された前記新規装置の前記優先順位を予め定められた特定順位に設定する。
【０００８】
本発明の他の局面に係る印刷システムは、前記印刷制御装置と、前記印刷装置と、を含む。
【０００９】
本発明の他の局面に係る印刷制御方法は、表示ステップと、実行ステップと、検出ステップと、設定ステップと、を含む。前記表示ステップでは、通信可能に接続された印刷装置各々が前記印刷装置各々に予め設定されたジョブ実行の優先順位の順に列挙された装置リストを含み、前記印刷装置各々の前記優先順位の設定に用いられる設定画面が表示される。前記実行ステップでは、前記装置リストに含まれる前記印刷装置のうち、前記優先順位に基づいて選択される前記印刷装置によって印刷ジョブが実行される。前記検出ステップでは、前記印刷装置のうち前記優先順位が設定されていない新規装置が検出される。前記設定ステップでは、前記検出ステップによって前記新規装置が検出された場合に、検出された前記新規装置の前記優先順位が予め定められた特定順位に設定される。
【発明の効果】
【００１０】
本発明によれば、印刷システムに新規の印刷装置が追加される際に生じるユーザーの操作の手間を軽減可能な印刷制御装置、印刷システム、及び印刷制御方法が実現される。
【図面の簡単な説明】
【００１１】
【図１】図１は、本発明の実施形態に係る印刷システムの構成を示すブロック図である。
【図２】図２は、本発明の実施形態に係る印刷制御装置の操作表示部に表示される設定画面の一例を示す図である。
【図３】図３は、本発明の実施形態に係る印刷制御装置で実行されるリスト編集処理の一例を示すフローチャートである。
【図４】図４は、本発明の実施形態に係る印刷制御装置で実行される印刷制御処理の一例を示すフローチャートである。
【図５】図５は、本発明の実施形態に係る印刷制御装置で実行される新規装置追加処理の一例を示すフローチャートである。
【図６】図６は、本発明の実施形態に係る印刷制御装置で実行される第１順位変更処理の一例を示すフローチャートである。
【図７】図７は、本発明の実施形態に係る印刷制御装置で実行される第２順位変更処理の一例を示すフローチャートである。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［印刷システム１００］
本発明の実施形態に係る印刷システム１００は、図１に示されるように、印刷制御装置１０と、複数の印刷装置２０とを含む。印刷システム１００において、印刷制御装置１０及び印刷装置２０各々は、通信ネットワーク３０を介して相互に通信可能に接続されている。例えば、通信ネットワーク３０は、有線又は無線のＬＡＮ（ローカルエリアネットワーク）である。
【００１４】
印刷装置２０は、画像データに基づいて画像を形成する印刷ジョブを実行することが可能である。例えば、印刷装置２０は、電子写真方式で画像データに基づく画像を形成するプリンターである。また、印刷装置２０は、プリント機能と共に、原稿から画像データを読み取るスキャン機能、ファクシミリ機能、及びコピー機能などの複数の機能を有する複合機であってもよい。また、印刷装置２０は、ファクシミリ装置、又はコピー機などであってもよい。また、印刷装置２０は、インクジェット方式などの他の画像形成方式で画像データに基づく画像を形成するプリンターなどであってもよい。
【００１５】
［印刷制御装置１０］
印刷制御装置１０は、印刷システム１００に含まれる印刷装置２０に前記印刷ジョブを実行させることが可能である。例えば、印刷制御装置１０は、印刷装置２０の制御に用いられるプリンタードライバーがインストールされたパーソナルコンピューターである。また、印刷制御装置１０は、スマートフォン、タブレット端末、携帯電話、ＰＤＡ、又はノートパソコンなどの通信端末であってもよい。
【００１６】
図１に示されるように、印刷制御装置１０は、制御部１１、操作表示部１３、通信部１４、ＧＰＳ通信部１５、及び記憶部１６を備える。
【００１７】
制御部１１は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部１１では、前記ＣＰＵにより前記ＲＯＭに予め記憶された各種の制御プログラムが実行される。これにより、印刷制御装置１０が制御部１１により統括的に制御される。なお、制御部１１は、集積回路（ＡＳＩＣ）などの電子回路で構成されたものであってもよく、印刷制御装置１０を統括的に制御するメイン制御部とは別に設けられた制御部であってもよい。
【００１８】
操作表示部１３は、制御部１１からの制御指示に応じて各種の情報を表示する液晶ディスプレーなどの表示部、及びユーザーの操作に応じて制御部１１に各種の情報を入力する操作キー又はタッチパネルなどの操作部を有する。
【００１９】
通信部１４は、通信ネットワーク３０を介して接続される印刷装置２０などの外部の通信機器との間で、有線又は無線によるデータ通信を実行可能な通信インターフェイスである。
【００２０】
ＧＰＳ通信部１５は、ＧＰＳ衛星から送信される電波を受信することが可能である。
【００２１】
記憶部１６は、フラッシュメモリー等の不揮発性の記憶部であり、制御部１１によるデータの読み書きが可能である。記憶部１６には、印刷装置２０各々に対応する前記プリンタードライバーが予め記憶されている。印刷制御装置１０は、前記プリンタードライバーが記憶部１６にインストールされることで、インストールされた前記プリンタードライバーに対応する印刷装置２０との間で通信を行い、その印刷装置２０を制御することが可能である。
【００２２】
また、記憶部１６には、制御部１１の前記ＣＰＵに後述のリスト編集処理（図３のフローチャート参照）、印刷制御処理（図４のフローチャート参照）、新規装置追加処理（図５のフローチャート参照）、第１順位変更処理（図６のフローチャート参照）、及び第２順位変更処理（図７のフローチャート参照）を実行させるための印刷制御プログラムが予め記憶されている。
【００２３】
なお、前記プリンタードライバー、及び前記印刷制御プログラムは、ＣＤ、ＤＶＤ、フラッシュメモリーなどのコンピューター読み取り可能な記録媒体に記録されており、前記記録媒体から読み取られて記憶部１６にインストールされてもよい。また、前記印刷制御プログラムは、外部の情報処理装置から取得されて記憶部１６にインストールされてもよい。
【００２４】
一方、制御部１１は、図１に示されるように、表示処理部１１１、実行制御部１１２、検出処理部１１３、設定処理部１１４、資格設定部１１５、報知処理部１１６、装置検出部１１７、第１順位変更部１１８、変更検出部１１９、取得処理部１２０、及び第２順位変更部１２１を含む。具体的に、制御部１１は、前記ＣＰＵを用いて記憶部１６に記憶されている前記印刷制御プログラムを実行する。これにより、制御部１１は、表示処理部１１１、実行制御部１１２、検出処理部１１３、設定処理部１１４、資格設定部１１５、報知処理部１１６、装置検出部１１７、第１順位変更部１１８、変更検出部１１９、取得処理部１２０、及び第２順位変更部１２１として機能する。
【００２５】
表示処理部１１１は、操作表示部１３におけるユーザー操作に応じて、図２に示される設定画面Ｇ１０を操作表示部１３に表示させる。設定画面Ｇ１０では、印刷装置２０各々におけるジョブ実行の優先順位を設定することが可能である。ここに、設定画面Ｇ１０が、本発明における設定画面の一例である。
【００２６】
図２に示されるように、設定画面Ｇ１０は、メッセージ表示欄Ｇ１１、装置リストＧ１２、及び操作キーＧ１３〜Ｇ１６を含む。
【００２７】
メッセージ表示欄Ｇ１１には、ユーザーへのメッセージが表示される。
【００２８】
装置リストＧ１２では、印刷装置２０各々が前記優先順位の順に列挙して表示される。具体的に、装置リストＧ１２では、印刷装置２０各々に対応する装置情報（例えば、図２に示される装置情報Ｇ１２１〜Ｇ１２５）が、前記優先順位の順に列挙して表示される。
【００２９】
前記装置情報は、図２に示される装置情報Ｇ１２１〜Ｇ１２５のように、印刷装置２０の前記優先順位を示す優先順位情報、印刷装置２０の装置名を示す装置名情報、印刷装置２０の所在位置を示す所在位置情報、印刷装置２０の機能を示す機能情報、及び印刷装置２０の前記印刷ジョブの実行資格の有無を示す資格情報を含む情報である。また、前記装置情報は、印刷制御装置１０による印刷装置２０の識別に用いられる識別情報（不図示）を含む。例えば、前記識別情報は、通信ネットワーク３０における印刷装置２０各々のＩＰアドレス又はＭＡＣアドレスである。なお、前記装置情報は、少なくとも前記優先順位情報、及び前記識別情報を含む情報であればよい。
【００３０】
前記装置情報は、後述する設定処理部１１４によって予め記憶部１６に記憶されている。表示処理部１１１は、設定画面Ｇ１０を操作表示部１３に表示させる場合に、記憶部１６から前記装置情報を読み出す。そして、表示処理部１１１は、前記装置情報各々が前記装置情報各々に含まれる前記優先順位情報によって示される前記優先順位の順に列挙された装置リストＧ１２を生成して、生成された装置リストＧ１２を設定画面Ｇ１０に表示させる。なお、装置リストＧ１２では、少なくとも印刷装置２０各々の前記装置名情報又は前記識別情報が表示されていればよい。
【００３１】
設定画面Ｇ１０では、装置リストＧ１２内に表示された前記装置情報の前記装置名情報、前記所在位置情報、及び前記機能情報の内容を任意に変更することが可能である。例えば、表示処理部１１１は、設定画面Ｇ１０において装置情報Ｇ１２１の前記装置名情報の表示欄に対する操作が行われた場合に、前記装置名情報の入力操作に用いられる入力画面を設定画面Ｇ１０上に表示させる。そして、表示処理部１１１は、前記入力画面で新たな前記装置名情報が入力された場合に、設定画面Ｇ１０における装置情報Ｇ１２１の前記装置名情報の表示を、入力された新たな前記装置名情報の表示に切り替える。設定画面Ｇ１０において装置情報Ｇ１２１の前記所在位置情報の表示欄、及び前記機能情報の表示欄に対する操作が行われた場合も同様である。これにより、ユーザーは、前記装置名情報、前記所在位置情報、及び前記機能情報の内容を任意に変更することで、装置リストＧ１２内に表示される印刷装置２０各々の識別が容易になる。
【００３２】
操作キーＧ１３〜Ｇ１４は、装置リストＧ１２に含まれる印刷装置２０（装置情報Ｇ１２１〜Ｇ１２５）各々の前記優先順位の変更に用いられる。具体的に、操作キーＧ１３は、装置リストＧ１２に含まれる印刷装置２０各々に対応して設けられており、ユーザーによる操作に応じて、対応する印刷装置２０の前記優先順位を一つ上昇させる。また、操作キーＧ１４は、操作キーＧ１３と同様に装置リストＧ１２に含まれる印刷装置２０各々に対応して設けられており、ユーザーによる操作に応じて、対応する印刷装置２０の前記優先順位を一つ下降させる。なお、図２では、有効に機能しない前記優先順位が最上位の装置情報Ｇ１２１に対応する操作キーＧ１３が破線で示されている。同様に、図２では、有効に機能しない前記優先順位が最下位の装置情報Ｇ１２５に対応する操作キーＧ１４が破線で示されている。
【００３３】
例えば、表示処理部１１１は、設定画面Ｇ１０において装置情報Ｇ１２２に対応する操作キーＧ１３が操作された場合に、装置情報Ｇ１２２及び装置情報Ｇ１２１の装置リストＧ１２内における表示位置を入れ替える。また、表示処理部１１１は、入れ替え後の表示位置に応じて装置情報Ｇ１２２及び装置情報Ｇ１２１各々の前記優先順位の表示内容を変更する。
【００３４】
同様に、表示処理部１１１は、設定画面Ｇ１０において装置情報Ｇ１２２に対応する操作キーＧ１４が操作された場合に、装置情報Ｇ１２２及び装置情報Ｇ１２３の装置リストＧ１２内における表示位置を入れ替える。また、表示処理部１１１は、入れ替え後の表示位置に応じて装置情報Ｇ１２２及び装置情報Ｇ１２３各々の前記優先順位の表示内容を変更する。
【００３５】
なお、設定画面Ｇ１０において、操作キーＧ１３〜Ｇ１４が用いられることなく、印刷装置２０各々の前記優先順位が変更されてもよい。例えば、装置リストＧ１２内における前記優先順位情報の表示欄に対する操作に応じて、上述の前記装置名情報の表示欄に対する操作が行われた場合と同様に、前記優先順位情報の表示欄の内容が変更されてもよい。また、装置リストＧ１２内においてユーザーによって選択された前記装置情報がユーザーの所望する前記優先順位に対応する位置にドロップされるドラッグアンドドロップ操作に応じて、印刷装置２０各々の前記優先順位が変更されてもよい。
【００３６】
操作キーＧ１５〜Ｇ１６は、設定画面Ｇ１０における設定内容の確定及び取り消しに用いられる。例えば、表示処理部１１１は、操作キーＧ１５が操作された場合に、操作キーＧ１５の操作時における設定画面Ｇ１０の表示内容に応じて、記憶部１６に記憶されている前記装置情報各々の内容を書き換える処理を実行する。また、表示処理部１１１は、操作キーＧ１６が操作された場合に、設定画面Ｇ１０の表示を終了させる。なお、表示処理部１１１は、設定画面Ｇ１０における表示内容の変更時に、記憶部１６に記憶されている前記装置情報各々の内容を書き換える処理を実行してもよい。
【００３７】
このように、印刷制御装置１０では、印刷装置２０各々が前記優先順位の順に列挙された装置リストＧ１２を含む設定画面Ｇ１０が表示されて、設定画面Ｇ１０上でユーザーによる印刷装置２０各々の前記優先順位の設定操作が受け付けられる。これにより、ユーザーは装置リストＧ１２によって設定変更の対象となる印刷装置２０と他の印刷装置２０との間の前記優先順位の優劣関係を一目で把握できるため、前記優先順位の設定操作を容易に行うことが可能である。
【００３８】
実行制御部１１２は、装置リストＧ１２に含まれる印刷装置２０のうち、前記優先順位に基づいて選択される印刷装置２０に前記印刷ジョブを実行させる。
【００３９】
具体的に、実行制御部１１２は、操作表示部１３において画像データの印刷を指示するユーザー操作が行われた場合に、前記印刷ジョブの実行条件の設定操作及び前記印刷ジョブの実行操作に用いられるジョブ設定画面を操作表示部１３に表示させる。
【００４０】
また、実行制御部１１２は、前記ジョブ設定画面において前記印刷ジョブの実行操作が行われた場合に、装置リストＧ１２に含まれる前記実行資格が有の印刷装置２０のうち、前記ジョブ設定画面で設定された前記実行条件を満たす印刷装置２０を選択候補として抽出する。例えば、実行制御部１１２は、前記実行条件にカラー印刷機能の使用が含まれる場合に、装置リストＧ１２に含まれる前記実行資格が有の印刷装置２０のうち、カラー印刷機能を使用可能な印刷装置２０を前記選択候補として抽出する。なお、実行制御部１１２は、前記装置情報が前記資格情報を含まない場合には、装置リストＧ１２に含まれる印刷装置２０のうち、前記ジョブ設定画面で設定された前記実行条件を満たす印刷装置２０を前記選択候補として抽出してもよい。
【００４１】
そして、実行制御部１１２は、前記選択候補として抽出された印刷装置２０のうち、前記優先順位が最も高い印刷装置２０を前記印刷ジョブの実行装置として選択する。実行制御部１１２は、前記実行装置として選択された印刷装置２０に前記印刷ジョブを送信して、前記印刷ジョブを実行させる。
【００４２】
また、実行制御部１１２は、前記実行装置として選択された印刷装置２０において前記印刷ジョブの実行が中断した場合には、前記選択候補として抽出された印刷装置２０のうち、次順位の印刷装置２０を前記印刷ジョブの再開装置として選択する。実行制御部１１２は、前記再開装置として選択された印刷装置２０に前記印刷ジョブを送信して、前記印刷ジョブの実行を再開させる。例えば、印刷システム１００では、印刷装置２０において用紙詰まりなどの予め定められた異常（エラー）が発生した場合、印刷用紙の残量がゼロになった場合、及び現像剤の残量が予め定められた量未満になった場合に、印刷装置２０における前記印刷ジョブが中断される。なお、実行制御部１１２は、印刷用紙の残量が予め定められた枚数未満の印刷装置２０、及び現像剤の残量が予め定められた量未満の印刷装置２０を前記選択候補から除外してもよい。
【００４３】
ところで、印刷システム１００では新規の印刷装置２０が追加されることがある。ここで、印刷制御装置１０において、設定画面Ｇ１０上で新規の印刷装置２０の前記優先順位の設定操作を行うために、その新規の印刷装置２０の暫定的な前記優先順位の設定などの操作が必要である場合には、印刷システム１００に新規の印刷装置２０が追加される度にユーザーに操作の手間が生じる。
【００４４】
これに対し、本発明の実施形態に係る印刷制御装置１０では、以下に説明するように、新規の印刷装置２０が追加される際に生じるユーザーの操作の手間を軽減することが可能である。
【００４５】
検出処理部１１３は、印刷装置２０のうち前記優先順位が設定されていない新規装置を検出する第１検出処理を実行する。
【００４６】
例えば、検出処理部１１３は、予め設定された第１検出条件を充足する場合に、通信ネットワーク３０を介して通信可能な印刷装置２０各々から前記識別情報を取得する。そして、検出処理部１１３は、取得された前記識別情報が記憶部１６に記憶されている前記装置情報に含まれていない場合に、記憶部１６に記憶されている前記装置情報に含まれていない前記識別情報に対応する印刷装置２０を前記新規装置として検出する。
【００４７】
例えば、前記第１検出条件は、操作表示部１３において設定画面Ｇ１０の表示を指示するユーザー操作が行われたことである。また、前記第１検出条件は、印刷制御装置１０に新たな前記プリンタードライバーがインストールされたことであってもよい。また、前記第１検出条件は、予め定められた時刻が到来したこと、又は前回の前記第１検出条件の充足時から予め定められた時間が経過したことであってもよい。
【００４８】
設定処理部１１４は、検出処理部１１３によって前記新規装置が検出された場合に、検出された前記新規装置の前記優先順位を予め定められた特定順位に設定する。例えば、前記特定順位は、印刷システム１００に含まれる複数の印刷装置２０における最下位の順位である。なお、前記特定順位は、印刷装置２０における中間の順位などであってもよい。
【００４９】
また、設定処理部１１４は、前記新規装置の前記実行資格を無に設定する。
【００５０】
例えば、設定処理部１１４は、前記新規装置の前記識別情報、前記特定順位を示す前記優先順位情報、内容が空の前記装置名情報、内容が空の前記所在位置情報、内容が空の前記機能情報、及び前記実行資格無を示す前記資格情報を含む前記装置情報を生成して、生成された前記装置情報を記憶部１６に記憶させる。なお、設定処理部１１４は、前記装置名情報、前記所在位置情報、及び前記機能情報を前記新規装置から取得して、取得されたそれらの情報を前記装置情報に含めてもよい。
【００５１】
資格設定部１１５は、ユーザー操作に応じて、装置リストＧ１２に含まれる印刷装置２０各々の前記印刷ジョブの前記実行資格の有無を設定する。
【００５２】
具体的に、資格設定部１１５は、設定画面Ｇ１０において前記資格情報の表示欄に対する操作が行われた場合に、操作された前記資格情報の表示欄における表示内容を有から無へ、又は無から有へ切り替える。そして、資格設定部１１５は、設定画面Ｇ１０において操作キーＧ１５が操作された場合に、操作キーＧ１５の操作時における設定画面Ｇ１０の表示内容に応じて、記憶部１６に記憶されている前記装置情報各々の前記資格情報の内容を書き換える処理を実行する。なお、資格設定部１１５は、設定画面Ｇ１０における前記資格情報の表示内容の変更時に、記憶部１６に記憶されている前記装置情報各々の前記資格情報の内容を書き換える処理を実行してもよい。
【００５３】
報知処理部１１６は、設定処理部１１４によって前記新規装置の前記優先順位が設定された場合に、その旨を示す情報を報知する。
【００５４】
例えば、報知処理部１１６は、装置リストＧ１２に前記新規装置が追加された旨のメッセージを操作表示部１３に表示させる。また、報知処理部１１６は、前記新規装置に暫定的な前記優先順位が設定された旨のメッセージを操作表示部１３に表示させてもよい。
【００５５】
装置検出部１１７は、装置リストＧ１２に含まれる印刷装置２０のうち、前記印刷ジョブの実行に用いられる予め定められた消耗品の残量が予め定められた閾値未満の特定装置を検出する第２検出処理を実行する。例えば、前記消耗品には、印刷用紙、及び現像剤が含まれる。
【００５６】
例えば、装置検出部１１７は、予め設定された第２検出条件を充足する場合に、通信ネットワーク３０を介して通信可能な印刷装置２０各々から前記消耗品の残量を示す残量情報を取得する。そして、装置検出部１１７は、取得された前記残量情報によって示される前記消耗品の残量が前記閾値未満である場合に、前記消耗品の残量が前記閾値未満の印刷装置２０を前記特定装置として検出する。なお、前記閾値は、ユーザー操作に応じて任意に設定されてよい。
【００５７】
例えば、前記第２検出条件は、予め定められた時刻が到来したこと、又は前回の前記第２検出条件の充足時から予め定められた時間が経過したことである。なお、前記第２検出条件は、前記第１検出条件と同じであってもよい。
【００５８】
第１順位変更部１１８は、装置検出部１１７によって検出された前記特定装置の前記優先順位を予め定められた基準順位より下位に変更する。例えば、前記基準順位は、印刷装置２０における中間の順位である。なお、前記基準順位は、予め定められた印刷装置２０の前記優先順位であってもよい。
【００５９】
具体的に、第１順位変更部１１８は、記憶部１６に記憶されている前記特定装置に対応する前記優先順位情報の内容を書き換えることで、前記特定装置の前記優先順位を前記基準順位より下位に変更する。例えば、第１順位変更部１１８は、前記特定装置の前記優先順位を前記基準順位より予め定められた数だけ下の順位に変更する。
【００６０】
変更検出部１１９は、自装置の所在位置の変更を検出する第３検出処理を実行する。
【００６１】
例えば、変更検出部１１９は、予め設定された第３検出条件を充足する場合に、ＧＰＳ通信部１５で受信される複数のＧＰＳ衛星から送信された電波各々に含まれる情報に基づいて、自装置の地球上における位置を示す位置情報を取得する。そして、変更検出部１１９は、取得された前記位置情報が、前回の前記第３検出条件の充足時に取得された前記位置情報と異なる場合に、自装置の所在位置の変更を検出する。
【００６２】
例えば、前記第３検出条件は、予め定められた時刻が到来したこと、又は前回の前記第３検出条件の充足時から予め定められた時間が経過したことである。なお、前記第３検出条件は、前記第１検出条件又は前記第２検出条件と同じであってもよい。
【００６３】
取得処理部１２０は、変更検出部１１９によって自装置の所在位置の変更が検出された場合に、装置リストＧ１２に含まれる印刷装置２０各々の所在位置を取得する。
【００６４】
例えば、印刷システム１００では、印刷装置２０各々にＧＰＳ通信部１５と同様の構成要素が設けられており、印刷装置２０各々が自装置の前記位置情報を取得可能である。取得処理部１２０は、印刷装置２０各々から印刷装置２０各々の前記位置情報を取得する。
【００６５】
第２順位変更部１２１は、取得処理部１２０によって取得される印刷装置２０各々の所在位置及び自装置の所在位置に基づいて、装置リストＧ１２に含まれる印刷装置２０各々の前記優先順位を変更する。
【００６６】
具体的に、第２順位変更部１２１は、装置リストＧ１２に含まれる印刷装置２０各々の前記優先順位を自装置からの離間距離に応じた順序に変更する。より具体的に、第２順位変更部１２１は、自装置からの離間距離が最も近い印刷装置２０の前記優先順位を最上位に変更し、自装置からの離間距離が最も遠い印刷装置２０の前記優先順位を最下位に変更する。
【００６７】
ここで、図２に示されるように、印刷装置２０各々が一つの建物内の異なるフロアに分散して設けられていることがある。これに対し、第２順位変更部１２１は、自装置と印刷装置２０各々とが同じフロアに設けられているか否かを判断する。そして、第２順位変更部１２１は、自装置と同じフロアに設けられた印刷装置２０各々の前記優先順位を、自装置とは異なるフロアに設けられた印刷装置２０各々の前記優先順位よりも高い順位に設定する。
【００６８】
例えば、第２順位変更部１２１は、自装置の所在するフロアを示すフロア情報、及び前記装置情報に含まれる前記所在位置情報に基づいて、自装置と印刷装置２０各々とが同じフロアに設けられているか否かを判断する。例えば、前記フロア情報は、予めユーザーによって入力されて記憶部１６に記憶される。なお、第２順位変更部１２１は、自装置と印刷装置２０とがＢｌｕｅｔｏｏｔｈ（登録商標）などの近距離無線通信で通信可能である場合に、自装置とその印刷装置２０とが同じフロアに設けられていると判断してもよい。また、第２順位変更部１２１は、前記近距離無線通信で通信可能な印刷装置２０が最も多く設けられているフロアに、自装置が所在していると判断してもよい。
【００６９】
なお、印刷制御装置１０は、資格設定部１１５、報知処理部１１６、装置検出部１１７、第１順位変更部１１８、変更検出部１１９、取得処理部１２０、及び第２順位変更部１２１のいずれか一つ又は複数を備えていなくてもよい。
【００７０】
［リスト編集処理］
以下、図３を参照しつつ、印刷制御装置１０において制御部１１により実行されるリスト編集処理の手順の一例について説明する。ここで、ステップＳ１１、Ｓ１２・・・は、制御部１１により実行される処理手順（ステップ）の番号を表している。なお、制御部１１は、操作表示部１３におけるユーザー操作によって設定画面Ｇ１０の表示が指示された場合に、前記リスト編集処理を実行する。
【００７１】
＜ステップＳ１１＞
まず、ステップＳ１１において、制御部１１は、設定画面Ｇ１０を操作表示部１３に表示させる。ここに、ステップＳ１１の処理が、本発明における表示ステップの一例であって、制御部１１の表示処理部１１１により実行される。
【００７２】
＜ステップＳ１２＞
ステップＳ１２において、制御部１１は、設定画面Ｇ１０において装置リストＧ１２に含まれる印刷装置２０各々の前記優先順位を変更する操作が行われたか否かを判断する。例えば、制御部１１は、操作キーＧ１３又は操作キーＧ１４が操作された場合に、装置リストＧ１２に含まれる印刷装置２０各々の前記優先順位を変更する操作が行われたと判断する。
【００７３】
ここで、制御部１１は、装置リストＧ１２に含まれる印刷装置２０各々の前記優先順位を変更する操作が行われたと判断すると（Ｓ１２のＹｅｓ側）、処理をステップＳ１３に移行させる。また、装置リストＧ１２に含まれる印刷装置２０各々の前記優先順位を変更する操作が行われていなければ（Ｓ１２のＮｏ側）、制御部１１は、処理をステップＳ１４へ移行させる。
【００７４】
＜ステップＳ１３＞
ステップＳ１３において、制御部１１は、ステップＳ１２で検出された操作に応じて、設定画面Ｇ１０における印刷装置２０各々の前記優先順位の表示を変更する。
【００７５】
＜ステップＳ１４＞
ステップＳ１４において、制御部１１は、設定画面Ｇ１０において装置リストＧ１２に含まれる印刷装置２０各々の前記実行資格の有無を設定する操作が行われたか否かを判断する。例えば、制御部１１は、前記資格情報の表示欄に対する操作が行われた場合に、装置リストＧ１２に含まれる印刷装置２０各々の前記実行資格の有無を設定する操作が行われたと判断する。
【００７６】
ここで、制御部１１は、装置リストＧ１２に含まれる印刷装置２０各々の前記実行資格の有無を設定する操作が行われたと判断すると（Ｓ１４のＹｅｓ側）、処理をステップＳ１５に移行させる。また、装置リストＧ１２に含まれる印刷装置２０各々の前記実行資格の有無を設定する操作が行われていなければ（Ｓ１４のＮｏ側）、制御部１１は、処理をステップＳ１６へ移行させる。
【００７７】
＜ステップＳ１５＞
ステップＳ１５において、制御部１１は、ステップＳ１４で検出された操作に応じて、設定画面Ｇ１０における印刷装置２０各々の前記実行資格の有無の表示を変更する。ここで、ステップＳ１４及びステップＳ１５の処理は、制御部１１の資格設定部１１５により実行される。
【００７８】
＜ステップＳ１６＞
ステップＳ１６において、制御部１１は、設定画面Ｇ１０において装置リストＧ１２に含まれる印刷装置２０各々の前記装置名情報、前記所在位置情報、又は前記機能情報を変更する操作が行われたか否かを判断する。例えば、制御部１１は、前記装置名情報の表示欄に対する操作が行われた場合に、装置リストＧ１２に含まれる印刷装置２０各々の前記装置名情報を変更する操作が行われたと判断する。
【００７９】
ここで、制御部１１は、装置リストＧ１２に含まれる印刷装置２０各々の前記装置名情報、前記所在位置情報、又は前記機能情報を変更する操作が行われたと判断すると（Ｓ１６のＹｅｓ側）、処理をステップＳ１７に移行させる。また、装置リストＧ１２に含まれる印刷装置２０各々の前記装置名情報、前記所在位置情報、又は前記機能情報を変更する操作が行われていなければ（Ｓ１６のＮｏ側）、制御部１１は、処理をステップＳ１８へ移行させる。
【００８０】
＜ステップＳ１７＞
ステップＳ１７において、制御部１１は、ステップＳ１６で検出された操作に応じて、設定画面Ｇ１０における印刷装置２０各々の前記装置名情報、前記所在位置情報、又は前記機能情報の表示を変更する。
【００８１】
＜ステップＳ１８＞
ステップＳ１８において、制御部１１は、設定画面Ｇ１０における設定内容を確定させる操作が行われたか否かを判断する。例えば、制御部１１は、操作キーＧ１５が操作された場合に、設定画面Ｇ１０における設定内容を確定させる操作が行われたと判断する。
【００８２】
ここで、制御部１１は、設定画面Ｇ１０における設定内容を確定させる操作が行われたと判断すると（Ｓ１８のＹｅｓ側）、処理をステップＳ１９へ移行させる。また、設定画面Ｇ１０における設定内容を確定させる操作が行われていなければ（Ｓ１８のＮｏ側）、制御部１１は、処理をステップＳ１２へ移行させる。
【００８３】
＜ステップＳ１９＞
ステップＳ１９において、制御部１１は、現在の設定画面Ｇ１０の表示内容に応じて、記憶部１６に記憶されている前記装置情報各々の内容を書き換える処理を実行する。ここで、ステップＳ１２〜ステップＳ１３、及びステップＳ１６〜ステップＳ１９までの処理は、制御部１１の表示処理部１１１により実行される。また、ステップＳ１９の処理のうち、前記資格情報を変更する処理は、制御部１１の資格設定部１１５により実行される。
【００８４】
［印刷制御処理］
次に、図４を参照しつつ、印刷制御装置１０において制御部１１により実行される印刷制御処理の手順の一例について説明する。なお、制御部１１は、操作表示部１３におけるユーザー操作によって画像データの印刷が指示された場合に、前記印刷制御処理を実行する。ここに、前記印刷制御処理が、本発明における実行ステップの一例であって、制御部１１の実行制御部１１２により実行される。
【００８５】
＜ステップＳ２１＞
まず、ステップＳ２１において、制御部１１は、前記ジョブ設定画面を操作表示部１３に表示させる。
【００８６】
＜ステップＳ２２＞
ステップＳ２２において、制御部１１は、ステップＳ２１で表示された前記ジョブ設定画面において前記印刷ジョブの実行操作が行われたか否かを判断する。
【００８７】
ここで、制御部１１は、前記印刷ジョブの実行操作が行われたと判断すると（Ｓ２２のＹｅｓ側）、処理をステップＳ２３に移行させる。また、前記印刷ジョブの実行操作が行われていなければ（Ｓ２２のＮｏ側）、制御部１１は、ステップＳ２２で前記印刷ジョブの実行操作が行われるのを待ち受ける。
【００８８】
＜ステップＳ２３＞
ステップＳ２３において、制御部１１は、装置リストＧ１２に含まれる前記実行資格が有の印刷装置２０のうち、ステップＳ２１で表示された前記ジョブ設定画面で設定された前記実行条件を満たす印刷装置２０を前記選択候補として抽出する。
【００８９】
＜ステップＳ２４＞
ステップＳ２４において、制御部１１は、ステップＳ２３で一つ以上の印刷装置２０が前記選択候補として抽出されたか否かを判断する。
【００９０】
ここで、制御部１１は、ステップＳ２３で一つ以上の印刷装置２０が前記選択候補として抽出されたと判断すると（Ｓ２４のＹｅｓ側）、処理をステップＳ２６に移行させる。また、ステップＳ２３で一つ以上の印刷装置２０が前記選択候補として抽出されていなければ（Ｓ２４のＮｏ側）、制御部１１は、処理をステップＳ２５へ移行させる。
【００９１】
＜ステップＳ２５＞
ステップＳ２５において、制御部１１は、ステップＳ２１で表示された前記ジョブ設定画面で設定された前記実行条件を満たす印刷装置２０が存在しない旨を示すメッセージを操作表示部１３に表示させて報知する。そして、制御部１１は、処理をステップＳ２２に移行させる。
【００９２】
なお、ステップＳ２５において、制御部１１は、一つ以上の印刷装置２０が前記選択候補として抽出されるように、前記実行条件を変更してもよい。この場合、制御部１１は、前記実行条件を変更した旨を示すメッセージを操作表示部１３に表示させることが考えられる。また、制御部１１は、ユーザー操作に応じて、一つ以上の印刷装置２０が前記選択候補として抽出されるように前記実行条件を変更してもよい。
【００９３】
＜ステップＳ２６＞
ステップＳ２６において、制御部１１は、ステップＳ２３で前記選択候補として抽出された印刷装置２０のうち、前記優先順位が最も高い印刷装置２０を前記印刷ジョブの前記実行装置として選択する。
【００９４】
＜ステップＳ２７＞
ステップＳ２７において、制御部１１は、前記実行装置として選択された印刷装置２０に前記印刷ジョブを送信して、前記印刷ジョブを実行させる。
【００９５】
＜ステップＳ２８＞
ステップＳ２８において、制御部１１は、ステップＳ２６で前記実行装置として選択された印刷装置２０、又は後述するステップＳ３１で前記再開装置として選択された印刷装置２０において前記印刷ジョブの実行が終了したか否かを判断する。
【００９６】
ここで、制御部１１は、前記印刷ジョブの実行が終了したと判断すると（Ｓ２８のＹｅｓ側）、処理をステップＳ３３に移行させる。また、前記印刷ジョブの実行が終了していなければ（Ｓ２８のＮｏ側）、制御部１１は、処理をステップＳ２９へ移行させる。
【００９７】
＜ステップＳ２９＞
ステップＳ２９において、制御部１１は、ステップＳ２６で前記実行装置として選択された印刷装置２０、又は後述するステップＳ３１で前記再開装置として選択された印刷装置２０において前記印刷ジョブの実行が中断したか否かを判断する。
【００９８】
ここで、制御部１１は、前記印刷ジョブの実行が中断したと判断すると（Ｓ２９のＹｅｓ側）、処理をステップＳ３０に移行させる。また、前記印刷ジョブの実行が中断していなければ（Ｓ２９のＮｏ側）、制御部１１は、処理をステップＳ２８へ移行させて、前記印刷ジョブの実行の終了又は中断を待ち受ける。
【００９９】
＜ステップＳ３０＞
ステップＳ３０において、制御部１１は、前記実行装置又は前記再開装置から前記印刷ジョブの実行の中断に関する中断情報を取得する。例えば、前記中断情報には、前記印刷ジョブの実行状況を示す情報などが含まれる。
【０１００】
＜ステップＳ３１＞
ステップＳ３１において、制御部１１は、ステップＳ２３で前記選択候補として抽出された印刷装置２０のうち、前記実行装置の次順位の印刷装置２０を前記印刷ジョブの前記再開装置として選択する。また、制御部１１は、ステップＳ２９で前記再開装置である印刷装置２０において前記印刷ジョブの実行が中断したと判断された場合には、直前のステップＳ３１で選択された前記再開装置の次順位の印刷装置２０を前記印刷ジョブの前記再開装置として選択する。
【０１０１】
＜ステップＳ３２＞
ステップＳ３２において、制御部１１は、前記再開装置として選択された印刷装置２０に前記印刷ジョブ及び前記中断情報を送信して、前記印刷ジョブを実行させる。
【０１０２】
＜ステップＳ３３＞
ステップＳ３３において、制御部１１は、前記印刷ジョブの実行終了を報知する。例えば、制御部１１は、前記印刷ジョブの実行が終了した旨、及び前記印刷ジョブを実行した前記実行装置の前記識別情報を示すメッセージを操作表示部１３に表示させる。また、制御部１１は、前記印刷ジョブが中断された場合は、前記再開装置の前記識別情報も合わせて表示させる。これにより、ユーザーは、前記印刷ジョブが終了したこと、及び印刷制御装置１０によって選択された前記実行装置、及び前記再開装置を認識することが可能である。
【０１０３】
［新規装置追加処理］
次に、図５を参照しつつ、印刷制御装置１０において制御部１１により実行される新規装置追加処理の手順の一例について説明する。
【０１０４】
＜ステップＳ４１＞
まず、ステップＳ４１において、制御部１１は、前記第１検出条件を充足したか否かを判断する。
【０１０５】
ここで、制御部１１は、前記第１検出条件を充足したと判断すると（Ｓ４１のＹｅｓ側）、処理をステップＳ４２に移行させる。また、前記第１検出条件を充足していなければ（Ｓ４１のＮｏ側）、制御部１１は、ステップＳ４１で前記第１検出条件の充足を待ち受ける。
【０１０６】
＜ステップＳ４２＞
ステップＳ４２において、制御部１１は、前記新規装置を検出する前記第１検出処理を実行する。ここに、ステップＳ４１及びステップＳ４２の処理が、本発明における検出ステップの一例であって、制御部１１の検出処理部１１３により実行される。
【０１０７】
＜ステップＳ４３＞
ステップＳ４３において、制御部１１は、ステップＳ４２で実行された前記第１検出処理において前記新規装置が検出されたか否かを判断する。
【０１０８】
ここで、制御部１１は、前記新規装置が検出されたと判断すると（Ｓ４３のＹｅｓ側）、処理をステップＳ４４に移行させる。また、前記新規装置が検出されていなければ（Ｓ４３のＮｏ側）、制御部１１は、処理をステップＳ４１へ移行させる。
【０１０９】
＜ステップＳ４４＞
ステップＳ４４において、制御部１１は、ステップＳ４２で検出された前記新規装置の前記優先順位を前記特定順位に設定する。また、制御部１１は、検出された前記新規装置の前記実行資格を無に設定する。ここに、ステップＳ４３及びステップＳ４４の処理が、本発明における設定ステップの一例であって、制御部１１の設定処理部１１４により実行される。
【０１１０】
＜ステップＳ４５＞
ステップＳ４５において、制御部１１は、装置リストＧ１２に前記新規装置が追加された旨のメッセージを操作表示部１３に表示させる。ここで、ステップＳ４５の処理は、制御部１１の報知処理部１１６により実行される。これにより、ユーザーは、装置リストＧ１２に前記新規装置が追加されたことを認識して、制御部１１によって設定された暫定的な前記優先順位を任意に変更することが可能である。
【０１１１】
ここで、前記新規装置追加処理では、ステップＳ４４で前記新規装置の前記実行資格が無に設定される。これにより、ユーザーによって前記優先順位が設定されていない前記新規装置で前記印刷ジョブが実行されることが回避される。
【０１１２】
［第１順位変更処理］
次に、図６を参照しつつ、印刷制御装置１０において制御部１１により実行される第１順位変更処理の手順の一例について説明する。
【０１１３】
＜ステップＳ５１＞
まず、ステップＳ５１において、制御部１１は、前記第２検出条件を充足したか否かを判断する。
【０１１４】
ここで、制御部１１は、前記第２検出条件を充足したと判断すると（Ｓ５１のＹｅｓ側）、処理をステップＳ５２に移行させる。また、前記第２検出条件を充足していなければ（Ｓ５１のＮｏ側）、制御部１１は、ステップＳ５１で前記第２検出条件の充足を待ち受ける。
【０１１５】
＜ステップＳ５２＞
ステップＳ５２において、制御部１１は、前記特定装置を検出する前記第２検出処理を実行する。ここで、ステップＳ５２の処理は、制御部１１の装置検出部１１７により実行される。
【０１１６】
＜ステップＳ５３＞
ステップＳ５３において、制御部１１は、ステップＳ５２で実行された前記第２検出処理において前記特定装置が検出されたか否かを判断する。
【０１１７】
ここで、制御部１１は、前記特定装置が検出されたと判断すると（Ｓ５３のＹｅｓ側）、処理をステップＳ５４に移行させる。また、前記特定装置が検出されていなければ（Ｓ５３のＮｏ側）、制御部１１は、処理をステップＳ５１へ移行させる。
【０１１８】
＜ステップＳ５４＞
ステップＳ５４において、制御部１１は、ステップＳ５２で検出された前記特定装置の前記優先順位を前記基準順位より予め定められた数だけ下の順位に変更する。ここで、ステップＳ５４の処理は、制御部１１の第１順位変更部１１８により実行される。これにより、前記消耗品の残量が少ない印刷装置２０の前記優先順位が自動で低くされるため、前記消耗品の残量が少ない印刷装置２０で前記印刷ジョブが実行されることが抑制される。
【０１１９】
［第２順位変更処理］
次に、図７を参照しつつ、印刷制御装置１０において制御部１１により実行される第２順位変更処理の手順の一例について説明する。
【０１２０】
＜ステップＳ６１＞
まず、ステップＳ６１において、制御部１１は、前記第３検出条件を充足したか否かを判断する。
【０１２１】
ここで、制御部１１は、前記第３検出条件を充足したと判断すると（Ｓ６１のＹｅｓ側）、処理をステップＳ６２に移行させる。また、前記第３検出条件を充足していなければ（Ｓ６１のＮｏ側）、制御部１１は、ステップＳ６１で前記第３検出条件の充足を待ち受ける。
【０１２２】
＜ステップＳ６２＞
ステップＳ６２において、制御部１１は、自装置の所在位置の変更を検出する前記第３検出処理を実行する。ここで、ステップＳ６２の処理は、制御部１１の変更検出部１１９により実行される。
【０１２３】
＜ステップＳ６３＞
ステップＳ６３において、制御部１１は、ステップＳ６２で実行された前記第３検出処理において自装置の所在位置の変更が検出されたか否かを判断する。
【０１２４】
ここで、制御部１１は、自装置の所在位置の変更が検出されたと判断すると（Ｓ６３のＹｅｓ側）、処理をステップＳ６４に移行させる。また、自装置の所在位置の変更が検出されていなければ（Ｓ６３のＮｏ側）、制御部１１は、処理をステップＳ６１へ移行させる。
【０１２５】
＜ステップＳ６４＞
ステップＳ６４において、制御部１１は、装置リストＧ１２に含まれる印刷装置２０各々の所在位置を取得する。ここで、ステップＳ６４の処理は、制御部１１の取得処理部１２０により実行される。
【０１２６】
＜ステップＳ６５＞
ステップＳ６５において、制御部１１は、ステップＳ６４で取得される印刷装置２０各々の所在位置及び自装置の所在位置に基づいて、装置リストＧ１２に含まれる印刷装置２０各々の前記優先順位を自装置からの離間距離に応じた順序に変更する。ここで、ステップＳ６５の処理は、制御部１１の第２順位変更部１２１により実行される。これにより、自装置の所在位置が変更された場合に、自装置からの離間距離が最も近い印刷装置２０の前記優先順位が自動で最上位に設定される。そのため、ユーザーが自装置からの離間距離が最も近い印刷装置２０の前記優先順位を最上位に設定することを望む場合には、ユーザーの設定操作の手間が軽減される。
【０１２７】
このように、印刷制御装置１０では、前記優先順位が設定されていない前記新規装置が自動で検出されて、検出された前記新規装置の前記優先順位が前記特定順位に自動で設定される。これにより、ユーザーは、前記新規装置の暫定的な前記優先順位を設定するなどの操作を行うことなく、設定画面Ｇ１０上で前記新規装置の前記優先順位を設定することが可能である。従って、新規の印刷装置２０が追加される際に生じるユーザーの操作の手間が軽減される。
【符号の説明】
【０１２８】
１０    印刷制御装置
１１    制御部
１３    操作表示部
１４    通信部
１５    ＧＰＳ通信部
１６    記憶部
２０    印刷装置
３０    通信ネットワーク
１００  印刷システム
１１１  表示処理部
１１２  実行制御部
１１３  検出処理部
１１４  設定処理部
１１５  資格設定部
１１６  報知処理部
１１７  装置検出部
１１８  第１順位変更部
１１９  変更検出部
１２０  取得処理部
１２１  第２順位変更部
【図１】
2018072976.tif 000003
【図２】
2018072976.tif 000004
【図３】
2018072976.tif 000005
【図４】
2018072976.tif 000006
【図５】
2018072976.tif 000007
【図６】
2018072976.tif 000008
【図７】
2018072976.tif 000009